(57)【要約】      （修正有）【課題】磁束が相殺され、同一のカップリング係数（ＣｏｕｐｌｉｎｇＣｏｅｆｆｉｃｉｅｎｔ）が具現できるコイル部品及びその実装基板に関する。【解決手段】セラミック本体１０と、セラミック本体の一面と隣接した二つの面及び、一面と相対する他面に形成された第１〜第８外部電極３１〜３８を含み、セラミック本体は、上部及び下部基板間に配置され、絶縁膜で覆われた第１から第４コイル部２１〜２４を含み、第１から第４コイル部は、磁束が反対方向に形成されるようにそれぞれ同一平面上において並んで巻かれたカップリングコイルを有し、カップリングコイルは、第１から第８コイル２１ａ〜２４ｂで構成され、第１から第８コイルは、それぞれ第１から第８外部電極と接続される。【選択図】図２
2015038959.tif 000002
【特許請求の範囲】
【請求項１】
セラミック本体と、
前記セラミック本体の一面に形成された第１、第８外部電極、前記セラミック本体の一面と隣接した二つの面にそれぞれ形成された第２、第３外部電極、第６、第７外部電極、及び前記セラミック本体の一面と相対する他面に形成された第４、第５外部電極と、を含み、
前記セラミック本体は、一対の基板、及び一対の基板間に配置され、絶縁膜で覆われた第１から第４コイル部を含み、第１から第４コイル部は、磁束が反対方向に形成されるようにそれぞれ同一平面上において並んで巻かれたカップリングコイルを有し、前記カップリングコイルは、第１から第８コイルで構成され、前記第１から第８コイルは、それぞれ前記第１から第８外部電極と接続される、コイル部品。
【請求項２】
前記第１から第４コイル部において、隣接するコイル部間の距離をｄ１からｄ４とすると、ｄ１＝ｄ２＝ｄ３＝ｄ４を満たす、請求項１に記載のコイル部品。
【請求項３】
前記第１から第８コイルにおいて、前記カップリングコイルを形成する２つのコイルそれぞれの中心間の距離は同一である、請求項１または２に記載のコイル部品。
【請求項４】
前記第１から第８コイルにおいて、前記セラミック本体の中心部を基準に対向し、磁束が反対方向であるコイル間の距離をｇ１からｇ４とすると、ｇ１＝ｇ２＝ｇ３＝ｇ４を満たす、請求項１から３の何れか１項に記載のコイル部品。
【請求項５】
前記セラミック本体の厚さは１．２ｍｍ以下である、請求項１から４の何れか１項に記載のコイル部品。
【請求項６】
前記第１から第８コイルは、多角形、円形、楕円形または不規則な形態である、請求項１から５の何れか１項に記載のコイル部品。
【請求項７】
前記第１から第８コイルは、金、銀、白金、銅、ニッケル、パラジウム及びこれらの合金からなる群より選択された一つ以上を含む、請求項１から６の何れか１項に記載のコイル部品。
【請求項８】
前記一対の基板は磁性体基板である、請求項１から７の何れか１項に記載のコイル部品。
【請求項９】
前記絶縁膜は感光性ポリマー絶縁材料を含む、請求項１から８の何れか１項に記載のコイル部品。
【請求項１０】
複数個の電極パッドを有する印刷回路基板と、
前記印刷回路基板上に設置された、請求項１から９の何れか１項に記載のコイル部品と、を含むコイル部品の実装基板。
【発明の詳細な説明】
【技術分野】
【０００１】
本発明は、コイル部品及びその実装基板に関するもので、具体的には、磁束が相殺され、同一のカップリング係数（Ｃｏｕｐｌｉｎｇ  Ｃｏｅｆｆｉｃｉｅｎｔ）が具現できるコイル部品及びその実装基板に関する。
【０００２】
デジタルＴＶ、スマートフォン、ノート型パソコンなど、電子製品の高周波領域におけるデータ送受信機能が広く用いられており、今後もこのようなＩＴ電子製品が一つの機器のみならず、相互間でＵＳＢ、その他の通信ポートを連結することで、多機能、複合化により活用頻度が高まると予想される。
【０００３】
また、このようなデータ送受信を速く行うため、従来のＭＨｚ帯域からＧＨｚ帯域の高周波帯域に移動して、より大量の内部信号ラインを通じてデータを送受信するようになった。
【０００４】
しかし、大量のデータを送受信するためにメイン機器と周辺機器間でＧＨｚ帯域の高周波帯域を送受信するとき、信号の遅延及びその他の妨害によって円滑にデータを処理するのに問題が発生しつつある。特に、デジタルＴＶのような通信、映像、音量信号ラインなどの多様なポートツーポート（ｐｏｒｔ  ｔｏ  ｐｏｒｔ）間の連結使用の際、内部信号ラインの遅延や送受信ひずみの問題点がより頻繁に発生するおそれがある。
【０００５】
このような問題を解決するために、メイン機器と周辺機器との連結部分にＥＭＩ対策部品を配置している。
【０００６】
従来用いられたＥＭＩ対策部品としては、パワーインダクタを挙げることができる。
【０００７】
しかし、最近の電子製品がスリム化、小型化、複合化、多機能化されてきており、このような機能に適したＥＭＩ対策部品が求められている。
【０００８】
この傾向に伴い、パワーインダクタアレイ製品が登場したが、この場合、コイル間の磁束差及びカップリング係数（Ｃｏｕｐｌｉｎｇ  Ｃｏｅｆｆｉｃｉｅｎｔ）の差異によるリップル（ｒｉｐｐｌｅ）ノイズが問題となり、電子部品の効率が低下するという問題点がある。
【先行技術文献】
【特許文献】
【０００９】
【特許文献１】韓国公開特許第２００５−００１１０９０号公報
【発明の概要】
【発明が解決しようとする課題】
【００１０】
本発明は、磁束が相殺され、同一のカップリング係数（Ｃｏｕｐｌｉｎｇ  Ｃｏｅｆｆｉｃｉｅｎｔ）が具現できるコイル部品及びその実装基板に関する。
【課題を解決するための手段】
【００１１】
本発明の一実施形態は、セラミック本体と、上記セラミック本体の一面に形成された第１、第８外部電極、上記セラミック本体の一面と隣接した二つの面にそれぞれ形成された第２、第３外部電極、第６、第７外部電極、及び上記セラミック本体の一面と相対する他面に形成された第４、第５外部電極と、を含み、上記セラミック本体は、上部及び下部基板、及び上部及び下部基板間に配置され、絶縁膜で覆われた第１から第４コイル部を含み、第１から第４コイル部は、磁束が反対方向に形成されるようにそれぞれ同一平面上において並んで巻かれたカップリングコイルを有し、上記カップリングコイルは、第１から第８コイルで構成され、上記第１から第８コイルは、それぞれ上記第１から第８外部電極と接続されるコイル部品を提供することができる。
【００１２】
上記第１から第４コイル部において、隣接するコイル部間の距離をｄ１からｄ４とすると、ｄ１＝ｄ２＝ｄ３＝ｄ４を満たすことができる。
【００１３】
上記第１から第８コイルにおいて、上記カップリングコイルを形成する２つのコイルそれぞれの中心間の距離は同一であることができる。
【００１４】
上記第１から第８コイルにおいて、上記セラミック本体の中心部を基準に対向し、磁束が反対方向であるコイル間の距離をｇ１からｇ４とすると、ｇ１＝ｇ２＝ｇ３＝ｇ４を満たすことができる。
【００１５】
上記セラミック本体の厚さは１．２ｍｍ以下であることができる。
【００１６】
上記第１から第８コイルは、多角形、円形、楕円形または不規則な形態であることができる。
【００１７】
上記第１から第８コイルは、金、銀、白金、銅、ニッケル、パラジウム及びこれらの合金からなる群より選択された一つ以上を含むことができる。
【００１８】
上記上部及び下部基板は磁性体基板であることができる。
【００１９】
上記絶縁膜は感光性ポリマー絶縁材料を含むことができる。
【００２０】
本発明の他の実施形態は、上部に複数個の電極パッドを有する印刷回路基板と、上記印刷回路基板上に設置されたコイル部品と、を含み、上記コイル部品は、セラミック本体、及び上記セラミック本体の一面に形成された第１、第８外部電極、上記セラミック本体の一面と隣接した二つの面にそれぞれ形成された第２、第３外部電極、第６、第７外部電極及び上記セラミック本体の一面と相対する他面に形成された第４、第５外部電極を含み、上記セラミック本体は、上部及び下部基板、及び上部及び下部基板間に配置され、絶縁膜で覆われた第１から第４コイル部を含み、第１から第４コイル部は、磁束が反対方向に形成されるようにそれぞれ同一平面上において並んで巻かれたカップリングコイルを有し、上記カップリングコイルは、第１から第８コイルで構成され、上記第１から第８コイルは、それぞれ上記第１から第８外部電極と接続されるコイル部品の実装基板を提供することができる。
【００２１】
上記第１から第４コイル部において、隣接するコイル部間の距離をｄ１からｄ４とすると、ｄ１＝ｄ２＝ｄ３＝ｄ４を満たすことができる。
【００２２】
上記第１から第８コイルにおいて、上記カップリングコイルを形成する２つのコイルそれぞれの中心間の距離は同一であることができる。
【００２３】
上記第１から第８コイルにおいて、上記セラミック本体の中心部を基準に対向し、磁束が反対方向であるコイル間の距離をｇ１からｇ４とすると、ｇ１＝ｇ２＝ｇ３＝ｇ４を満たすことができる。
【００２４】
上記セラミック本体の厚さは１．２ｍｍ以下であることができる。
【００２５】
上記第１から第８コイルは、多角形、円形、楕円形または不規則な形態であることができる。
【００２６】
上記第１から第８コイルは、金、銀、白金、銅、ニッケル、パラジウム及びこれらの合金からなる群より選択された一つ以上を含むことができる。
【００２７】
上記上部及び下部基板は磁性体基板であることができる。
【００２８】
上記絶縁膜は感光性ポリマー絶縁材料を含むことができる。
【発明の効果】
【００２９】
本発明によると、磁束が相殺され、同一のカップリング係数（Ｃｏｕｐｌｉｎｇ  Ｃｏｅｆｆｉｃｉｅｎｔ）が具現できるため、損失（Ｌｏｓｓ）が減少し、効率に優れたコイル部品及びその実装基板を得ることができるようになる。
【図面の簡単な説明】
【００３０】
【図１】本発明の一実施形態によるコイル部品の斜視図である。
【図２】図１の平面図である。
【図３】図１の分解斜視図である。
【図４】本発明の一実施形態によるコイル部品内のコイルの対称構造を示した模式図である。
【図５】図１のＸ−Ｘ'線に沿った断面図である。
【図６】本発明の実施例及び比較例による電圧と電流の波形を示したグラフである。
【図７】図１のコイル部品が印刷回路基板に実装された形状を示した斜視図である。
【発明を実施するための形態】
【００３１】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３２】
コイル部品
【００３３】
図１は本発明の一実施形態によるコイル部品の斜視図であり、図２は図１の平面図であり、図３は図１の分解斜視図であり、図４は本発明の一実施形態によるコイル部品内のコイルの対称構造を示した模式図であり、図５は図１のＸ−Ｘ'線に沿った断面図である。
【００３４】
図１から図５を参照すると、本発明の一実施形態であるコイル部品は、セラミック本体１０と、上記セラミック本体１０の一面に形成された第１、第８外部電極３１、３８、上記セラミック本体１０の一面と隣接した二つの面にそれぞれ形成された第２、第３外部電極３２、３３、第６、第７外部電極３６、３７、及び上記セラミック本体１０の一面と相対する他面に形成された第４、第５外部電極３４、３５と、を含み、上記セラミック本体１０は、上部及び下部基板１２、１３、及び上部及び下部基板１２、１３間に配置され、絶縁膜１４で覆われた第１から第４コイル部２１、２２、２３、２４を含み、第１から第４コイル部２１、２２、２３、２４は、磁束が反対方向に形成されるようにそれぞれ同一平面上において並んで巻かれたカップリングコイル（２１ａ、２１ｂ）、（２２ａ、２２ｂ）、（２３ａ、２３ｂ）、（２４ａ、２４ｂ）を有し、上記カップリングコイル（２１ａ、２１ｂ）、（２２ａ、２２ｂ）、（２３ａ、２３ｂ）、（２４ａ、２４ｂ）は、第１から第８コイル２１ａ、２１ｂ、２２ａ、２２ｂ、２３ａ、２３ｂ、２４ａ、２４ｂで構成され、上記第１から第８コイル２１ａ、２１ｂ、２２ａ、２２ｂ、２３ａ、２３ｂ、２４ａ、２４ｂは、それぞれ上記第１から第８外部電極３１、３２、３３、３４、３５、３６、３７、３８と接続されることができる。
【００３５】
本実施形態において、「第１」から「第８」は、その対象を区分するために限定されたものに過ぎず、上記順序に制限されない。
【００３６】
セラミック本体１０は、六面体であることができ、「Ｌ方向」を「長さ方向」、「Ｗ方向」を「幅方向」、「Ｔ方向」を「厚さ方向」とすることができる。
【００３７】
セラミック本体１０は、上部基板１２、下部基板１３、及び上部基板１２と下部基板１３との間に配置され、絶縁膜１４で覆われた第１から第４コイル部２１、２２、２３、２４を含むことができる。上部基板、及び下部基板は、一対の基板の一例であってよい。
【００３８】
以下では、図１から図３を参照して第１から第４コイル部２１、２２、２３、２４及び第１から第８外部電極３１、３２、３３、３４、３５、３６、３７、３８について説明する。
【００３９】
第１から第４コイル部２１、２２、２３、２４は、磁束が反対方向に形成されるようにそれぞれ同一平面上において並んで巻かれたカップリングコイル（２１ａ、２１ｂ）、（２２ａ、２２ｂ）、（２３ａ、２３ｂ）、（２４ａ、２４ｂ）を有し、上記カップリングコイル（２１ａ、２１ｂ）、（２２ａ、２２ｂ）、（２３ａ、２３ｂ）、（２４ａ、２４ｂ）は、第１から第８コイル２１ａ、２１ｂ、２２ａ、２２ｂ、２３ａ、２３ｂ、２４ａ、２４ｂで構成されることができる。
【００４０】
即ち、上記第１コイル部２１は、磁束が反対方向に形成されるように同一平面上において並んで巻かれ、第１及び第２コイル２１ａ、２１ｂで構成されたカップリングコイルの形状を有することができる。
【００４１】
また、上記第２から第４コイル部２２、２３、２４も、上記第１コイル部２１と同一に、磁束が反対方向に形成されるようにそれぞれ同一平面上において並んで巻かれた第３から第８コイル２２ａ、２２ｂ、２３ａ、２３ｂ、２４ａ、２４ｂで構成されたカップリングコイル（順に、（２２ａ、２２ｂ）、（２３ａ、２３ｂ）、（２４ａ、２４ｂ））の形状を有することができる。
【００４２】
上記第１から第８コイル２１ａ、２１ｂ、２２ａ、２２ｂ、２３ａ、２３ｂ、２４ａ、２４ｂにおいて、上記カップリングコイルを形成する２つのコイルそれぞれの中心間の距離は同一であることができる。
【００４３】
上記第１コイル部２１は、カップリングコイルとして第１及び第２コイル２１ａ、２１ｂで構成され、上記第１コイルと第２コイルは反対方向に巻かれて互いの磁束が反対方向であることができる。
【００４４】
即ち、上記第１コイルと第２コイルとの間隔が同一であるため、上記反対される磁束は相殺（Ｎｅｇａｔｉｖｅｌｙ  ｃｏｕｐｌｅｄ）されることができる。
【００４５】
つまり、上記第１コイルと第２コイルが反対方向に巻かれているため、電流が流れると、反対方向の磁束が発生し、同一のサイズ及び間隔の間で発生した磁束は互いに相殺（Ｎｅｇａｔｉｖｅｌｙ  ｃｏｕｐｌｅｄ）されることができる。
【００４６】
このような磁束が相殺（Ｎｅｇａｔｉｖｅｌｙ  ｃｏｕｐｌｅｄ）される特徴は、上記第２から第４コイル部２２、２３、２４でも同様に発生する。
【００４７】
また、後述の通り、上記第１から第４コイル部２１、２２、２３、２４において隣接するコイル部間の距離、及び上記第１から第８コイル２１ａ、２１ｂ、２２ａ、２２ｂ、２３ａ、２３ｂ、２４ａ、２４ｂにおいて上記セラミック本体１０の中心を基準に対向するコイル間の距離が同一であるため、カップリング係数（Ｃｏｕｐｌｉｎｇ  Ｃｏｅｆｆｉｃｉｅｎｔ）が同一になることができる。
【００４８】
上記のような同一のカップリング係数（Ｃｏｕｐｌｉｎｇ  Ｃｏｅｆｆｉｃｉｅｎｔ）により、リップル（ｒｉｐｐｌｅ）ノイズが低減され、電子部品の効率が向上することができる。
【００４９】
上記磁束が相殺（Ｎｅｇａｔｉｖｅｌｙ  ｃｏｕｐｌｅｄ）される特徴及び同一のカップリング係数（Ｃｏｕｐｌｉｎｇ  Ｃｏｅｆｆｉｃｉｅｎｔ）の特徴に対する詳細は後述する。
【００５０】
上記第１から第８コイル２１ａ、２１ｂ、２２ａ、２２ｂ、２３ａ、２３ｂ、２４ａ、２４ｂは、金、銀、白金、銅、ニッケル、パラジウム及びこれらの合金からなる群より選択された一つ以上を含むことができる。
【００５１】
上記第１から第８コイル２１ａ、２１ｂ、２２ａ、２２ｂ、２３ａ、２３ｂ、２４ａ、２４ｂは、コイルに導電性を与えることができる材料からなるものであるばよく、上記列挙金属に限定されない。
【００５２】
また、上記第１から第８コイル２１ａ、２１ｂ、２２ａ、２２ｂ、２３ａ、２３ｂ、２４ａ、２４ｂは、多角形、円形、楕円形または不規則な形態であることができ、その形状に特に制限されない。
【００５３】
上記第１から第８コイル２１ａ、２１ｂ、２２ａ、２２ｂ、２３ａ、２３ｂ、２４ａ、２４ｂは、それぞれ引出端子（図示せず）によって上記第１から第８外部電極３１、３２、３３、３４、３５、３６、３７、３８と接続されることができる。
【００５４】
図１及び図２を参照すると、第１コイル部２１の第１及び第２コイル２１ａ、２１ｂは第１及び第２外部電極３１、３２と接続され、第２コイル部２２の第３及び第４コイル２２ａ、２２ｂは第３及び第４外部電極３３、３４と接続されることができる。
【００５５】
これと同様に、第３コイル部２３の第５及び第６コイル２３ａ、２３ｂは第５及び第６外部電極３５、３６と接続され、第４コイル部２４の第７及び第８コイル２４ａ、２４ｂは第７及び第８外部電極３７、３８と接続されることができる。
【００５６】
上記第１から第４コイル部２１、２２、２３、２４において隣接するコイル部のコイルが巻かれる方向は反対方向であることができる。
【００５７】
図２を参照すると、第１コイル部２１の第１コイル２１ａの場合、中心から外に向かって反時計方向に回転するが、第２コイル２１ｂの場合は、外から中心方向に向かって時計方向に回転することができる。
【００５８】
これにより、コイルに流れる電流によって発生する磁束の方向が反対になることができる。
【００５９】
上記のような特徴は、上記第２から第４コイル部２２、２３、２４でも同様に適用されることができる。
【００６０】
外部電極は、第１から第８外部電極３１、３２、３３、３４、３５、３６、３７、３８を含むことができる。
【００６１】
上記第１及び第８外部電極３１、３８は上記セラミック本体１０の一面Ｓ２に形成されることができ、上記第２、第３外部電極３２、３３及び第６、第７外部電極３６、３７は上記セラミック本体１０の一面Ｓ２と隣接した二つの面Ｓ３、Ｓ６にそれぞれ形成されることができる。また、上記第４及び第５外部電極３４、３５は上記セラミック本体１０の一面Ｓ２と相対する他面Ｓ５に形成されることができる。
【００６２】
図１及び図２には８つの外部電極が示されているが、本発明はこれに限定されない。
【００６３】
上記第１から第８外部電極３１、３２、３３、３４、３５、３６、３７、３８は、セラミック本体１０の厚さ方向「Ｔ方向」に延びて形成されることができる。
【００６４】
上記第１から第８外部電極３１、３２、３３、３４、３５、３６、３７、３８は、離隔されて配置されて電気的に分離されることができる。
【００６５】
上記第１から第８外部電極３１、３２、３３、３４、３５、３６、３７、３８は、セラミック本体１０の上面Ｓ１及び下面Ｓ４の一部に延びて形成されることができる。
【００６６】
上記第１から第８外部電極３１、３２、３３、３４、３５、３６、３７、３８とセラミック本体１０との接合部分はアングル状を有するため、第１から第８外部電極３１、３２、３３、３４、３５、３６、３７、３８とセラミック本体１０との固着力が向上することができ、外部衝撃などに対する耐性も向上することができる。
【００６７】
上記第１から第８外部電極３１、３２、３３、３４、３５、３６、３７、３８を構成する金属は、第１から第８外部電極３１、３２、３３、３４、３５、３６、３７、３８に電気伝導性を与えることができる金属であれば、特に制限されない。
【００６８】
具体的には、第１から第８外部電極は、金、銀、白金、銅、ニッケル、パラジウム及びこれらの合金からなる群より選択された一つ以上を含むことができる。
【００６９】
金、銀、白金及びパラジウムは高価である一方で安定的な長所があり、銅及びニッケルは安価ではあるが焼結中に酸化されて電気伝導性の低下を招きうるという短所がある。
【００７０】
上記第１から第８外部電極３１、３２、３３、３４、３５、３６、３７、３８は、異なる極性を交互に有することができる。
【００７１】
例えば、第１、３、５及び７外部電極が（＋）極性を有する場合、残りの外部電極は（−）極性を有することができるが、本発明はこれに限定されない。
【００７２】
本発明の一実施形態によるコイル部品の上記セラミック本体の厚さは、１．２ｍｍ以下であることができるが、これに限定されず、多様な厚さで製作されることができる。
【００７３】
図４を参照すると、上記第１から第４コイル部２１、２２、２３、２４において、隣接するコイル部間の距離をｄ１からｄ４とすると、ｄ１＝ｄ２＝ｄ３＝ｄ４を満たすことができる。
【００７４】
即ち、上記第１から第４コイル部２１、２２、２３、２４において、隣接するコイル部間の距離が同一であるため、カップリング係数（Ｃｏｕｐｌｉｎｇ  Ｃｏｅｆｆｉｃｉｅｎｔ）が同一になることができる。
【００７５】
上記の通り、同一のカップリング係数（Ｃｏｕｐｌｉｎｇ  Ｃｏｅｆｆｉｃｉｅｎｔ）により、リップル（ｒｉｐｐｌｅ）ノイズが低減され、電子部品の効率が向上することができる。
【００７６】
また、上記第１から第８コイル２１ａ、２１ｂ、２２ａ、２２ｂ、２３ａ、２３ｂ、２４ａ、２４ｂにおいて、上記セラミック本体１０の中心を基準に対向し、磁束が反対方向であるコイル間の距離をｇ１からｇ４とすると、ｇ１＝ｇ２＝ｇ３＝ｇ４を満たすことができる。
【００７７】
即ち、上記第１から第８コイル２１ａ、２１ｂ、２２ａ、２２ｂ、２３ａ、２３ｂ、２４ａ、２４ｂにおいて、上記セラミック本体１０の中心部を基準に対向し、磁束が反対方向であるコイル間の距離が同一であるため、カップリング係数（Ｃｏｕｐｌｉｎｇ  Ｃｏｅｆｆｉｃｉｅｎｔ）が同一になることができる。
【００７８】
上記の通り、同一のカップリング係数（Ｃｏｕｐｌｉｎｇ  Ｃｏｅｆｆｉｃｉｅｎｔ）により、リップル（ｒｉｐｐｌｅ）ノイズが低減され、電子部品の効率が向上することができる。
【００７９】
図５を参照すると、上部及び下部基板１２、１３は磁性体基板であることができ、磁性体はニッケル−亜鉛−銅フェライトを含むことができる。
【００８０】
上記絶縁膜１４は、感光性ポリマー絶縁材料を含むことができる。また、隣接するコイル層間には感光性ポリマー絶縁材料が介在され、隣接するコイル層はビアホールによって接続されることができる。
【００８１】
上部及び下部基板１２、１３の間に、絶縁膜１４で覆われた第１から第４コイル部２１、２２、２３、２４を形成するために、絶縁基板１１の一面との反対面に上記第１から第４コイル部２１、２２、２３、２４を形成することができる。
【００８２】
上部及び下部コイル層２０は、ビア導体によって接続されるように形成されることができる。
【００８３】
図６は本発明の実施例及び比較例による電圧と電流の波形を示したグラフである。
【００８４】
図６において、実線で示されたグラフは本発明の一実施形態によって磁束が相殺（Ｎｅｇａｔｉｖｅｌｙ  ｃｏｕｐｌｅｄ）され、同一のカップリング係数（Ｃｏｕｐｌｉｎｇ  Ｃｏｅｆｆｉｃｉｅｎｔ）を有するようにコイルを配置した実施例、点線で示されたグラフは磁束が相殺されていない比較例を意味する。
【００８５】
図６を参照すると、本発明の一実施形態によって磁束が相殺（Ｎｅｇａｔｉｖｅｌｙ  ｃｏｕｐｌｅｄ）され、同一のカップリング係数（Ｃｏｕｐｌｉｎｇ  Ｃｏｅｆｆｉｃｉｅｎｔ）を有するようにコイルを配置した実施例の場合、磁束が相殺されていない比較例に比べて正常な状態における電流リップル（ｒｉｐｐｌｅ）が小さく、損失（ｌｏｓｓ）が減少してコイル部品の効率がさらに優れることが分かる。
【００８６】
コイル部品の実装基板
【００８７】
図７は図１のコイル部品が印刷回路基板に実装された形状を示した斜視図である。
【００８８】
図７を参照すると、本実施形態によるコイル部品の実装基板２００は、コイル部品が水平になるように実装される印刷回路基板２１０と、印刷回路基板２１０の上面に離隔されるように形成された複数個の電極パッド２２０と、を含む。
【００８９】
このとき、コイル部品は、第１から第８外部電極３１、３２、３３、３４、３５、３６、３７、３８がそれぞれ電極パッド２２０上に接触されるように位置した状態で、はんだ２３０によって印刷回路基板２１０と電気的に連結されることができる。
【００９０】
上記のような説明を除いて上述した本発明の一実施形態によるコイル部品の特徴と重複される説明は、ここで省略する。
【００９１】
本発明は、上述した実施形態及び添付の図面により限定されず、添付の特許請求の範囲により限定される。従って、特許請求の範囲に記載された本発明の技術的思想を外れない範囲内で当技術分野の通常の知識を有する者による多様な形態の置換、変形及び変更が可能であり、これも本発明の範囲に属する。
【符号の説明】
【００９２】
１０  セラミック本体
１１  絶縁基板
１２、１３  上部及び下部基板
１４  絶縁膜
２０  上部及び下部コイル層
２１、２２、２３、２４  第１から第４コイル部
２１ａ、２１ｂ、２２ａ、２２ｂ、２３ａ、２３ｂ、２４ａ、２４ｂ  第１から第８コイル（カップリングコイル）
３１、３２、３３、３４、３５、３６、３７、３８  第１から第８外部電極
Ｓ１〜Ｓ６  本体の外部面
【図１】
2015038959.tif 000003
【図２】
2015038959.tif 000004
【図３】
2015038959.tif 000005
【図４】
2015038959.tif 000006
【図５】
2015038959.tif 000007
【図６】
2015038959.tif 000008
【図７】
2015038959.tif 000009